(57)【要約】【課題】一体化されたサウンドプロジェクションシステムを有するテレビジョンの使用および動作を容易にするシステムおよび方法を提供すること。【解決手段】テレビジョンであって、スクリーンと、サウンドプロジェクタと、該スクリーンおよびサウンドプロジェクタに連結されたコントロールシステムとを備え、該コントロールシステムは、該サウンドプロジェクタに、１つ以上のターゲット位置に向けて、部屋に１つ以上のサウンドビームを投影させ、該コントロールシステムは、該スクリーン上にグラフィカルユーザインタフェースを表示し、該グラフィカルユーザインタフェースは、該１つ以上のサウンドビームの該投影された経路のグラフィカル表示を含み、該１つ以上のサウンドビームの該投影された経路の角度を調整するためにユーザによって動作可能である、テレビジョン。【選択図】図１Ａ
2010011461.tif 000002
【特許請求の範囲】
【請求項１】
テレビジョンであって、
スクリーンと、
サウンドプロジェクタと、
該スクリーンおよびサウンドプロジェクタに連結されたコントロールシステムと
を備え、該コントロールシステムは、該サウンドプロジェクタに、１つ以上のターゲット位置に向けて、部屋に１つ以上のサウンドビームを投影させ、該コントロールシステムは、該スクリーン上にグラフィカルユーザインタフェースを表示し、該グラフィカルユーザインタフェースは、該１つ以上のサウンドビームの該投影された経路のグラフィカル表示を含み、該１つ以上のサウンドビームの該投影された経路の角度を調整するためにユーザによって動作可能である、テレビジョン。
【請求項２】
前記コントロールシステムは、選択された視聴アクティビティと関連付けられる出力モードにおけるサウンドの出力を引き起こす、請求項１に記載のテレビジョン。
【請求項３】
前記インタフェースは、メニュー駆動フォーマットを用いて情報を入力することを、ユーザに促す、請求項１に記載のテレビジョン。
【請求項４】
前記メニュー駆動フォーマットは、１つ以上のテキストエントリ領域とメニュー駆動チョイスとを含む、請求項３に記載のテレビジョン。
【請求項５】
前記インタフェースは、視聴している部屋のパラメータを入力することを、前記ユーザに促す、請求項３に記載のテレビジョン。
【請求項６】
前記インタフェースは、サウンドビームの角度を入力することを、前記ユーザに促す、請求項３に記載のテレビジョン。
【請求項７】
前記インタフェースは、サウンド出力モード選択を入力することを、前記ユーザに促す、請求項２に記載のテレビジョン。
【請求項８】
前記視聴している部屋のパラメータは、部屋のサイズと、第一の壁のサイズと、第一の壁におけるＴＶの位置と、第二の壁のサイズと、該ＴＶの位置からソファーの位置までの距離とを含む、請求項３に記載のテレビジョン。
【請求項９】
サウンドプロジェクタのキャリブレーションのための組み込み型マイクロフォンを有するリモートコントロールユニットをさらに備えている、請求項１に記載のテレビジョン。
【請求項１０】
前記リモートコントロールユニットは、
前記組み込み型マイクロフォンに連結されたアンプと、
該アンプとマイクロプロセッサとに連結されたアナログデジタルコンバータと、
該マイクロプロセッサに連結された不揮発性メモリと、
該マイクロプロセッサに連結されたＩＲトランスミッタと
を備えている、請求項９に記載のテレビジョン。
【請求項１１】
前記リモートコントロールユニットは、前記コントロールシステムをサウンドキャリブレーションモードに入らせるために、ＩＲ信号の前記ＴＶへの伝送を引き起こすように、前記マイクロプロセッサに連結された専用の機能キーをさらに備えている、請求項１０に記載のテレビジョン。
【請求項１２】
ユーザに、部屋のサイズに関する第一のパラメータと、ＴＶの位置に関する第二のパラメータと、ＴＶからの視聴距離に関する第三のパラメータとをエントリすることを促すステップと、
該ＴＶに組み込まれたサウンドプロジェクタから放射されるサウンドビームに対するビーム角を計算するステップと、
該サウンドプロジェクタから放射される該サウンドビームの経路に対応する第一の組の多角形を描くステップと、
該多角形をＴＶのスクリーン上に表示するステップと
を包含する、方法。
【請求項１３】
前記ＴＶのユーザによってエントリされたビーム角の変化の結果として、前記サウンドプロジェクタから放射される前記サウンドビームの経路に対応する第二の組の多角形を描くステップをさらに包含する、請求項１２に記載の方法。
【請求項１４】
ユーザに視聴アクティビティを選択することを促すステップと、
該ユーザに、動作の複数のオーディオモードのリストから１つのオーディオモードを選択することを促すステップであって、該動作の複数のオーディオモードは、該視聴アクティビティに割り当てられたサラウンドサウンド、ステレオ、モノターゲットビームおよびデュアルターゲットビームを含む、ステップと
をさらに包含する、請求項１３に記載の方法。
【請求項１５】
前記ユーザによって選択される視聴アクティビティを開始するための命令を受信するステップと、
該視聴アクティビティに従って、前記表示スクリーン上にビデオコンテンツを表示するステップと、
該視聴アクティビティに割り当てられた前記オーディオモードに従って、該ビデオコンテンツに対応するサウンドを出力するステップと
をさらに包含する、請求項１２に記載の方法。
【請求項１６】
ＴＶに組み込まれた前記サウンドプロジェクタのキャリブレーションを開始するための命令を受信するステップと、
各サウンドビームに対するテスト信号のバーストを送信するステップと、
サウンドビームの測定されたレベルでＩＲ信号を受信するステップと
をさらに包含する、請求項１２に記載の方法。
【発明の詳細な説明】
【技術分野】
【０００１】
（発明の分野）
本発明は、概して、テレビジョンおよびサウンドプロジェクションシステムに関し、より具体的には、一体化されたサウンドプロジェクションシステムを有するテレビジョンの使用および動作を容易にするシステムおよび方法に関する。
【背景技術】
【０００２】
（背景情報）
ＴＶおよび他の構成要素の能力が向上し、より入手しやすくなるにつれ、より多くの消費者が真のサラウンドサウンドを求めるようになってきた。サラウンドサウンドは、概して、左部サラウンドと、右部サラウンドと、「スクリーンチャネル」（例えば、中央部、前部左部および前部右部）とは反対側の後部サラウンドとのある組み合わせにおいて、聴衆を「取り囲む（ｓｕｒｒｏｕｎｄｉｎｇ）」チャネルへのマルチチャネルオーディオの適用をいう。４．０チャネル以上のサラウンドにおいて、システムは、典型的に、中央部チャネルスピーカ、左前部チャネルスピーカおよび右前部チャネルスピーカと、後部または後部および側部における２つ以上のサラウンドチャネルスピーカと、サブウーファを駆動するための低周波数エフェクトチャネルとを含む。例えば、５．１チャネルサラウンドにおいて、システムは、典型的に、中央部チャネルスピーカ、左前部チャネルスピーカおよび右前部チャネルスピーカと、左後部および右後部における２つのサラウンドチャネルスピーカと、サブウーファを駆動するための低周波数エフェクトチャネルとを含む。
【０００３】
現在、消費者は、サウンドシステムスピーカを駆動するために、高級な（ｈｉｇｈ  ｅｎｄ）オーディオビデオ受信器（ＡＶＲ）を必要とする。ＡＶＲは、オーディオ供給源に依存して、利用可能なスピーカの数または利用可能なスピーカに対応するオーディオチャネルの個別の数に対応する多くのチャネルをオーディオ信号から抽出するデコーダを含む。例えば、５．１チャネルサラウンドシステムにおいて、デコーダは、オーディオ供給源に依存して、特別にエンコードされた２チャネルの供給源またはステレオ供給源のいずれかから、５つのオーディオチャネルと１つのＬＦＥチャネルとを抽出し、そして５つのスピーカおよび１つのサブウーファに分配するか、または５つの個別のオーディオチャネルおよび１つのＬＦＥチャネルを、６つのチャネル供給源から、５つのスピーカおよび１つのサブウーファに送達する。しかしながら、消費者にとって、ＡＶＲ構成要素および複数のスピーカの追加は、ユーザの家庭用娯楽システムに付加的なレベルの複雑性を追加し、そのコントロールはしばしばフラストレーションを伴い得る。
【０００４】
英国ケンブリッジの１  ＬＴＤのサウンドプロジェクション技術における近年の進歩は、ＡＶＲ構成要素と、部屋の方々に配置され、ＡＶＲに有線で連結されるか、または無線で連結される複数のスピーカとに対する必要性を除去する。１  ＬＴＤのサウンドプロジェクション技術に従うと、サウンドのビームは単一の筐体（すなわちサウンドプロジェクタ）に据え付けられたスピーカのアレイから、サウンドプロジェクタが配置された部屋に放射され、部屋の壁および天井において反射され、部屋の内部でサラウンドサウンドを生み出す。さらに、サウンドプロジェクタはサウンドの１つ以上のビームを、部屋の内部の標的となる位置にビーム放射することが可能である。例えば、特許文献１、特許文献２、特許文献３、特許文献４および特許文献５を参照されたい。これらの文献は本明細書において参照により援用される。
【０００５】
現在では、サウンドプロジェクタは、ＴＶとは別のスタンドアロンな構成要素であり、マイクロプロセッサによるコントロールを有し、そして追加のプロセッサ能力を有するカスタムのユニバーサルリモートコントロールを用いてユーザによって制御可能である。従って、ＴＶのマイクロプロセッサコントロールシステムによってコントロールされ、リモートコントロールユニットのＴＶレイヤのＴＶリモートコントロールユニットを用いてユーザによって制御可能であり、構成可能である、一体化されたサウンドプロジェクションシステムをＴＶに提供することが望ましい。
【先行技術文献】
【特許文献】
【０００６】
【特許文献１】欧州特許出願公開第１９２１８９０号明細書
【特許文献２】米国特許出願公開第２００６／０２０４０２２号明細書
【特許文献３】国際公開第０２／０７８３８８号パンフレット
【特許文献４】国際公開第２００７／００７０８３号パンフレット
【特許文献５】米国特許出願公開第２００４／０１５１３２５号明細書
【発明の概要】
【課題を解決するための手段】
【０００７】
（概要）
本明細書において提供される実施形態は、一体化されたサウンドプロジェクションシステムを有するテレビジョンの使用および動作を容易にするシステムおよび方法に関する。一実施形態において、テレビジョンは、部屋の内部にサラウンドサウンドを作り出し、１つ以上のサウンドビームをターゲットの位置に投影するように動作可能なスピーカのアレイを組み込んだ一体化サウンドプロジェクションシステムを含む。テレビジョンは、好適には、オーディオビデオ入力接続と、コントロールシステムに連結されたサウンドプロジェクタおよびビデオスクリーンディスプレイなどのオーディオビデオ出力とを備える。コントロールシステムは、マイクロプロセッサと、不揮発性メモリ（システムコントロールソフトウェアが格納される）と、マイクロプロセッサに連結されるオンスクリーンディスプレイ（ＯＳＤ）コントローラと、ＯＳＤコントローラおよびディスプレイスクリーンに連結されるイメージディスプレイエンジンとを含む。コントロールシステムは、マイクロプロセッサおよびサウンドプロジェクタに連結された、例えば、デジタルサウンドプロセッサなどのオーディオプロセッサをさらに備えている。オーディオ入力接続は、好適には、従来のオーディオ入力接続を含む。サウンドプロジェクタは、好適には、ＴＶが配置される部屋にサウンドのビーム（これらのビームは壁および天井で反射されてサラウンドサウンドを作り出す）を導入するように構成可能であり、部屋に１つ以上の標的が定められたサウンドのビームを導入するように構成可能であるサウンドスピーカのアレイを備える。
【０００８】
動作中、ＴＶのスクリーン上に表示可能であり、コントロールシステムソフトウェアによって生成されたメニューシステムおよびグラフィカルユーザインタフェースを用いて、ユーザは、ステレオ、サラウンド、モノターゲット、デュアルターゲットなどを含む動作の様々なモード間で選択を行い得、ユーザが視聴している部屋および構成要素の構成のためにサウンドプロジェクションシステムを構成し得、そして、コントロールシステムに連結可能であるマイクフォンを用いてサウンドプロジェクションシステムのサウンドビームパラメータを自動的にキャリブレーションするかまたはカスタマイズし得、あるいはグラフィカルユーザインタフェースベースのメニューシステムをナビゲートすることによって、サウンドビームパラメータを手動で調整し得る。部屋、構成要素およびサウンドビームパラメータがメモリにエントリされ、格納されると、コントロールシステムはサウンドビームのグラフィカル表示を描き、ＴＶスクリーン上のユーザの視聴している部屋のグラフィカル表示内にサウンドビームのグラフィカル表示を表示する。ユーザは、サウンドビームのグラフィカル表示を提示されつつ、サウンドビームを視聴している部屋の周囲で動かすためにグラフィカルユーザインタフェースメニューデバイスをさらに用い得る。
【０００９】
別の実施形態において、個別のオーディオ設定が所与のアクティビティに対する好適な視聴経験のために、それぞれのアクティビティごとに保存され得る。例えば、ゲームおよび映画の能力を提供する組み合わせデバイス（例えば、Ｐｌａｙｓｔａｔｉｏｎ３、ＸＢＯＸ３６０およびその他）は、「ゲームをプレイする」および「映画を見る」などのそれぞれのアクティビティに対する別々のカラーオーディオ設定を有し得る。
【００１０】
別の実施形態において、テレビジョンリモートコントロールユニットは、組み込み型マイクロフォンおよびマイクロプロセッサコントロールを装備し得、リモートコントロールユニットに組み込まれたマイクロフォンを介してオーディオレベルを測定する。リモートコントローラは、正確なシーケンスとテスト信号がＴＶから出力されたタイミングとをリモートコントローラが既知である場合にオーディオレベルを測定し得る。リモートコントローラは、次いで、特定のＩＲコードを介して、測定値をＴＶに戻す。組み込まれたマイクロフォンユニットを有するリモートコントロールは、サウンドプロジェクタまたは個別の外部サラウンドスピーカからのオーディオレベルを測定するために用いられ得る。
【００１１】
本発明の他のシステム、方法、特徴および利点が、以下の図面および詳細な説明の考察の際に、当業者に対して明らかであるか、明らかになる。
【００１２】
本発明はさらに以下の項目を提供する。
（項目１）  
テレビジョンであって、
スクリーンと、
サウンドプロジェクタと、
該スクリーンおよびサウンドプロジェクタに連結されたコントロールシステムと
を備え、該コントロールシステムは、該サウンドプロジェクタに、１つ以上のターゲット位置に向けて、部屋に１つ以上のサウンドビームを投影させ、該コントロールシステムは、該スクリーン上にグラフィカルユーザインタフェースを表示し、該グラフィカルユーザインタフェースは、該１つ以上のサウンドビームの該投影された経路のグラフィカル表示を含み、該１つ以上のサウンドビームの該投影された経路の角度を調整するためにユーザによって動作可能である、テレビジョン。
（項目２）
上記コントロールシステムは、選択された視聴アクティビティと関連付けられる出力モードにおけるサウンドの出力を引き起こす、上記項目のいずれか１項に記載のテレビジョン。
（項目３）
上記インタフェースは、メニュー駆動フォーマットを用いて情報を入力することを、ユーザに促す、上記項目のいずれか１項に記載のテレビジョン。
（項目４）
上記メニュー駆動フォーマットは、１つ以上のテキストエントリ領域とメニュー駆動チョイスとを含む、上記項目のいずれか１項に記載のテレビジョン。
（項目５）
上記インタフェースは、視聴している部屋のパラメータを入力することを、上記ユーザに促す、上記項目のいずれか１項に記載のテレビジョン。
（項目６）
上記インタフェースは、サウンドビームの角度を入力することを、上記ユーザに促す、上記項目のいずれか１項に記載のテレビジョン。
（項目７）
上記インタフェースは、サウンド出力モード選択を入力することを、上記ユーザに促す、上記項目のいずれか１項に記載のテレビジョン。
（項目８）
上記視聴している部屋のパラメータは、部屋のサイズと、第一の壁のサイズと、第一の壁におけるＴＶの位置と、第二の壁のサイズと、該ＴＶの位置からソファーの位置までの距離とを含む、上記項目のいずれか１項に記載のテレビジョン。
（項目９）
サウンドプロジェクタのキャリブレーションのための組み込み型マイクロフォンを有するリモートコントロールユニットをさらに備えている、上記項目のいずれか１項に記載のテレビジョン。
（項目１０）
上記リモートコントロールユニットは、
上記組み込み型マイクロフォンに連結されたアンプと、
該アンプとマイクロプロセッサとに連結されたアナログデジタルコンバータと、
該マイクロプロセッサに連結された不揮発性メモリと、
該マイクロプロセッサに連結されたＩＲトランスミッタと
を備えている、上記項目のいずれか１項に記載のテレビジョン。
（項目１１）
上記リモートコントロールユニットは、上記コントロールシステムをサウンドキャリブレーションモードに入らせるために、ＩＲ信号の上記ＴＶへの伝送を引き起こすように、上記マイクロプロセッサに連結された専用の機能キーをさらに備えている、上記項目のいずれか１項に記載のテレビジョン。
（項目１２）
ユーザに、部屋のサイズに関する第一のパラメータと、ＴＶの位置に関する第二のパラメータと、ＴＶからの視聴距離に関する第三のパラメータとをエントリすることを促すステップと、
該ＴＶに組み込まれたサウンドプロジェクタから放射されるサウンドビームに対するビーム角を計算するステップと、
該サウンドプロジェクタから放射される該サウンドビームの経路に対応する第一の組の多角形を描くステップと、
該多角形をＴＶのスクリーン上に表示するステップと
を包含する、方法。
（項目１３）
上記ＴＶのユーザによってエントリされたビーム角の変化の結果として、上記サウンドプロジェクタから放射される上記サウンドビームの経路に対応する第二の組の多角形を描くステップをさらに包含する、上記項目のいずれか１項に記載の方法。
（項目１４）
ユーザに視聴アクティビティを選択することを促すステップと、
該ユーザに、動作の複数のオーディオモードのリストから１つのオーディオモードを選択することを促すステップであって、該動作の複数のオーディオモードは、該視聴アクティビティに割り当てられたサラウンドサウンド、ステレオ、モノターゲットビームおよびデュアルターゲットビームを含む、ステップと
をさらに包含する、上記項目のいずれか１項に記載の方法。
（項目１５）
上記ユーザによって選択される視聴アクティビティを開始するための命令を受信するステップと、
該視聴アクティビティに従って、上記表示スクリーン上にビデオコンテンツを表示するステップと、
該視聴アクティビティに割り当てられた上記オーディオモードに従って、該ビデオコンテンツに対応するサウンドを出力するステップと
をさらに包含する、上記項目のいずれか１項に記載の方法。
（項目１６）
ＴＶに組み込まれた上記サウンドプロジェクタのキャリブレーションを開始するための命令を受信するステップと、
各サウンドビームに対するテスト信号のバーストを送信するステップと、
サウンドビームの測定されたレベルでＩＲ信号を受信するステップと
をさらに包含する、上記項目のいずれか１項に記載の方法。
【００１３】
（摘要）
一体化されたサウンドプロジェクションシステムを有するテレビジョン（ＴＶ）の使用および動作を容易にするシステムおよび方法。サウンドプロジェクタは、好適には、壁および天井で反射されて、サラウンドサウンドを作り出すビームを投影するように構成可能であるスピーカのアレイを備えている。一実施形態において、ユーザは、グラフィカル表示を提示されたまま、視聴している部屋の方々でサウンドビームを動かすためにグラフィカルユーザインタフェースベースのメニューシステムを用い得る。別の実施形態において、ＴＶのリモートコントロールユニットは、組み込み型マイクロフォンおよびマイクロプロセッサコントロールを装備し得、オーディオレベルを測定し、そしてそのレベルをＴＶに送信して戻し、このレベルはサラウンドシステムにおいてオーディオレベルおよび遅延を自動的にセットアップするために用いられる。別の実施形態において、個別のオーディオ設定が所与のアクティビティに対する好適な視聴経験のために、それぞれのアクティビティごとに保存され得る。
【図面の簡単な説明】
【００１４】
【図１Ａ】図１Ａは、テレビジョンの概略図を描いており、該テレビジョンは、一体化されたサウンドプロジェクタおよびコントロールシステムを有する。
【図１Ｂ】図１Ｂは、テレビジョンの代替的な実施形態の概略図を描いており、一体化されたサウンドプロジェクタ、コントロールシステムおよびテレビジョンに連結されたサブウーファを有する。
【図２Ａ】図２Ａは、サウンドプロジェクタ構成メニューが表示された、テレビジョンのスクリーン上に表示されたグラフィカルユーザインタフェースベースのメニューを描く。
【図２Ｂ】図２Ｂは、サウンドプロジェクタ構成メニューおよびカスタムソフトキードロップダウンメニューが表示された、テレビジョンのスクリーン上に表示されたグラフィカルユーザインタフェースベースのメニューを描く。
【図２Ｃ】図２Ｃは、オーディオモードドロップダウンメニューが表示された、テレビジョンのスクリーン上に表示されたグラフィカルユーザインタフェースベースのメニューを描く。
【図２Ｄ】図２Ｄは、アクティビティドロップダウンメニューが表示された、テレビジョンのスクリーン上に表示されたグラフィカルユーザインタフェースベースのメニューを描く。
【図３Ａ】図３Ａおよび図３Ｂは、グラフィカルユーザインタフェース内の代替的なアクティビティ選択メニューを示すテレビジョンスクリーンの概略図である。
【図３Ｂ】図３Ａおよび図３Ｂは、グラフィカルユーザインタフェース内の代替的なアクティビティ選択メニューを示すテレビジョンスクリーンの概略図である。
【図４Ａ】図４Ａは、サウンドビームの経路のグラフィカルトレーシングが表示された、サウンドプロジェクタのサラウンドモードカスタムセットアップメニューが表示された、テレビジョンのスクリーン上に表示された、グラフィカルユーザインターフェースベースのメニューを描く。
【図４Ｂ】図４Ｂは、ユーザによって修正されたとき、サウンドビームの経路のグラフィカルトレーシングが表示された、サウンドプロジェクタのサラウンドモードカスタムセットアップメニューが表示された、テレビジョンのスクリーン上に表示された、グラフィカルユーザインターフェースベースのメニューを描く。
【図５】図５は、サウンドプロジェクタのステレオモードカスタムセットアップメニューが表示された、テレビジョンのスクリーン上に表示された、グラフィカルユーザインターフェースベースのメニューを描く。
【図６】図６は、サウンドプロジェクタのモノターゲットモードカスタムセットアップメニューが表示された、テレビジョンのスクリーン上に表示された、グラフィカルユーザインターフェースベースのメニューを描く。
【図７】図７は、サウンドプロジェクタのデュアルターゲットモードカスタムセットアップメニューが表示された、テレビジョンのスクリーン上に表示されたグラフィカルユーザインターフェースベースのメニューを描く。
【図８】図８は、一体化されたサウンドプロジェクタおよびコントロールシステムを有するテレビジョンに物理的に連結されたマイクロフォンを用いるサラウンドサウンドキャリブレーションプロセスの概略図を描く。
【図９】図９は、一体化されたサウンドプロジェクタおよびコントロールシステムを有するテレビジョン、ならびにサラウンドサウンドキャリブレーションのための組み込まれたマイクロフォンを有するテレビジョンリモートコントロールユニットの概略図を描く。
【図１０】図１０は、外部サラウンドサウンドスピーカに連結されたテレビジョンおよびサラウンドサウンドキャリブレーションのための組み込まれたマイクロフォンを有するテレビジョンリモートコントロールユニットの概略図を描く。
【発明を実施するための形態】
【００１５】
製造、構造および動作を含む、本発明の詳細は、添付の図面を検討することにより、部分的に収集され得、添付の図面において、同様の参照数字は同様のパーツを参照する。図面の構成要素は、必ずしも縮尺を合わせられておらず、その代わりに、本発明の原理を示す際に強調されている。さらに、全ての図面は概念を伝えることを意図され、相対的なサイズ、形状および他の詳細な属性は、強調無しにまたは正確に示されず、むしろ概略的に示され得る。
【００１６】
（詳細な説明）
本明細書に記載されるシステムおよび方法は、一体化されたサウンドプロジェクションシステムを有するテレビジョン（ＴＶ）、ならびにＴＶおよび一体化されたサウンドプロジェクションシステムの制御および動作に関する。さらに具体的には、一実施形態において、ＴＶは一体化したサウンドプロジェクタを含み、該一体化したサウンドプロジェクタは、部屋の内部でサラウンドサウンドを作り出し、そして１つ以上のビームをターゲット位置に投影するように動作可能であるスピーカのアレイを備えている。スピーカのアレイは、ＴＶが位置する部屋に、サウンドのビームを導入するように構成可能であり、このビームは、部屋の壁および天井で反射して、サラウンドサウンドを作り出す。スピーカのアレイは、また、部屋に１つ以上のサウンドのビームを導入し、そして１つ以上のビームを部屋の内部の所望の位置に標的を定めるようにも構成される。ＴＶの外部にあり（すなわち、ＴＶ内に一体的には配置されていない）、そしてＴＶに連結可能な、スタンドアロンのサウンドプロジェクタおよびサウンドプロジェクションシステム、ならびにこのようなサウンドプロジェクタおよびサウンドプロジェクタシステムの動作の詳細な説明が、ＥＰ１９２１８９０Ａ２、ＵＳ２００６／０２０４０２２Ａ２、ＷＯ０２／０７８３８８Ａ２、ＷＯ２００７／００７０８３Ａ１およびＵＳ２００４／０１５１３２５Ａ１に記載され、これらは本明細書において参照により援用される。
【００１７】
図面を詳細に参照して、図１Ａは、スピーカのアレイ４２を備えている一体化サウンドプロジェクタ４０を有するＴＶ１０の一実施形態の概略図を描く。図１Ｂは、ＴＶ１０のコントロールシステムに連結されたサブウーファを備えている代替の実施形態の概略図を描く。図１Ａおよび図１Ｂに示されるように、ＴＶ１０は、好適には、コントロールシステム１２に連結された、ビデオディスプレイスクリーン３０と、ＩＲ信号受信器２４と、サウンドプロジェクタ４０とを備える。コントロールシステム１２は、マイクロプロセッサ２０と、不揮発性メモリ２２（システムソフトウェアならびにシステム情報およびユーザによってエントリされた情報とデータとが格納される）と、マイクロプロセッサ２０に連結されるオンスクリーンディスプレイ（ＯＳＤ）コントローラ１４と、ＯＳＤコントローラ１４およびディスプレイスクリーン３０に連結されるイメージディスプレイエンジン１６とを含む。コントロールシステム１２は、マイクロプロセッサ２０およびサウンドプロジェクタ４０ならびに任意でサブウーファ４７に連結された、例えば、オーディオデジタルサウンドプロセッサ（ＤＳＰ）などのオーディオプロセッサ１８をさらに備えている。
【００１８】
システムソフトウェアは、好適には、一組の命令を備え、該一組の命令は、マイクロプロセッサ２０および／またはオーディオプロセッサ１８上で実行可能であり、サウンドプロジェクタ４０のセットアップ、動作およびコントロールを含む、ＴＶ１０のセットアップ、動作およびコントロールをイネーブルする。システムソフトウェアは、ＴＶディスプレイ３０上で、ユーザに表示または提示されているグラフィカルユーザインタフェースを介してユーザによってナビゲート可能なメニューベースのコントロールシステムを提供する。ＴＶリモートコントロールユニットのＴＶレイヤ上にあるが、ユーザは、ＴＶ１０と、ＴＶ１０の一体化されたサウンドプロジェクタと、ＴＶ１０に連結された外部Ａ−Ｖ入力デバイス（例えば、ＤＶＤ、ＶＣＲ、ケーブルボックスなど）とをセットアップし、動作させ、そして制御するために、グラフィカルユーザインタフェースをナビゲートし得る。グラフィカルユーザインタフェースベースのメニューコントロールシステムおよびその動作の詳細な議論は、米国特許出願公開第２００２／０１７１６２４  Ａ１号において提供され、この出願公開は、本明細書において参照により援用される。
【００１９】
動作中、ＴＶ１０のディスプレイスクリーン３０上に表示可能であり、マイクロプロセッサ２０上で実行可能なシステムソフトウェアによって生成されたメニューシステムおよびグラフィカルユーザインタフェースを用いて、ユーザは、ステレオ、サラウンドサウンド、ターゲットシングルまたはモノサウンドビーム、ターゲットデュアルサウンドビームなどを含むオーディオ動作の様々なモード間で選択を行い得る。グラフィカルユーザインタフェースベースのメニューシステムを用いて、ユーザの視聴している部屋のパラメータ（例えば、部屋の寸法、ＴＶの位置、カウチまたは主な着席領域のＴＶからの距離）に従って、サウンドプロジェクションシステムを構成し得、これらのパラメータは、メモリ２２に格納される。サウンドプロジェクションシステムが、ユーザの視聴している部屋のパラメータに従って構成されると、ユーザは、コントロールシステムに連結可能なマイクロフォンを用いてサウンドビームレベルを自動的にキャリブレーションするように選択し得る。あるいは、ユーザは、サウンドビームレベルおよび角度（ａｎｇｅｌ）などのサウンドビームパラメータを調整するように、グラフィカルユーザインタフェースベースのメニューシステムをナビゲートし得る。視聴している部屋のパラメータおよびサウンドビームパラメータがエントリされ、コントロールシステムによって受信されると、コントロールシステムは、ＴＶのディスプレイスクリーン３０上に、サウンドビームのグラフィカル表示を描き、ユーザの視聴している部屋のグラフィカル表示内にサウンドビームのグラフィカル表示を表示する。ユーザは、サウンドビームの角度を調整し、視聴している部屋の周囲でサウンドビームを動かし、一方で同一のグラフィカル表示を用いて提示するために、グラフィカルユーザインタフェースメニューシステムをさらに使用し得る。
【００２０】
図２Ａを参照して、（ユーザに、グラフィカルアイコンおよびメニューアイテムの中から選択を行い、そしてテキスト情報を入力することを促す）ＴＶのグラフィカルユーザインタフェースベースのマルチレイヤメニューシステムを用いてサウンドプロジェクションシステムを構成することが議論される。ＴＶ１０またはリモートコントロールユニット上のコントロールパネル上のメニューキーを押下すると、ユーザは、好適にはスクリーン３０の左側に沿って、システム構成メニュー５０を提示される。構成メニュー５０は、好適には、ユーザが、例えば、ＡＶデバイス５０、字幕５４、「ボックスの外の」システムセットアップ５５、入力デバイス５６およびセキュリティシステム５８を構成し得る、機能および／またはデバイスに対応するメニューオプションを表す複数の選択可能なグラフィカルアイコンを備え、そして、これら複数のグラフィカルアイコンの中から選択を行うことをユーザに促す。ユーザはまた、「選択」８２、「移動」８３、「戻る」８４および「ヘルプ」８５などのナビゲーション機能を達成するために、リモートコントロール上のどのキーが押下されるかを示すナビゲーションキーまたはガイドを提示される。ＡＶデバイス５２のメニューオプションのアイコンの周囲のグレーの陰影を用いて描かれるようなハイライトが、メニュー内の位置および選択されたメニューアイテムを示すために使用される。
【００２１】
システム構成メニュー５０におけるＡＶデバイス５２メニューオプションを選択すると、好適にはデバイス構成メニュー６０が、スクリーン３０の上部に沿って表示される。デバイス構成メニュー６０は、好適には機能またはデバイスに対応するメニューオプションを表す複数の選択可能なグラフィカルアイコン（例えば、ビデオ６２、オーディオ６４、リセット６５、ピクチャカラー６６、インターネット６７、サウンドプロジェクション６８等）を含み、そして、それらの複数の選択可能なグラフィカルアイコンの中から選択を行うように、ユーザを促す。
【００２２】
デバイス構成メニュー６０におけるサウンドプロジェクション６８メニューオプションを選択すると、サウンドプロジェクションンシステム構成メニュー７０が、スクリーン３０の中央部分に表示され、視聴している部屋のパラメータを選択およびエントリするように、ユーザを促す。視聴している部屋のパラメータは、視聴している部屋にサウンドビームを導入し、サウンドビームを壁および天井から反射させることにより、サラウンドサウンドを形成するように、プロジェクションサウンドシステムを構成するためにシステムソフトウェアによって必要とされる。サウンドプロジェクションシステム構成メニュー７０は、イメージ９０を含んでおり、このイメージは、ユーザのＴＶを視聴している部屋のグラフィカル表示と視聴している部屋のパラメータのリスト（例えば、ＴＶ位置７１、ＴＶ側の壁の長さ（ＴＶ  ｗａｌｌ  ｌｅｎｇｔｈ）７４、その他の壁の長さ（ｏｔｈｅｒ  ｗａｌｌ  ｌｅｎｇｔｈ）７６、ＴＶからソファーまたは主な着席エリアまでの距離７８）とを含む。視聴している部屋９０のイメージに示されるように、ＴＶ側の壁の長さパラメータ７４は、ユーザのＴＶを視聴している部屋における壁の長さを意味し、ＴＶ９２が配置されて図示されている壁９６に対応しており、その他の壁の長さパラメータ７６は、ユーザのＴＶを視聴している部屋における壁の長さを意味し、ＴＶ９２が配置されるように図示されていない壁９８に対応する、ＴＶからソファーまでのパラメータ７８は、ＴＶとソファーまたはユーザの視聴している部屋における主な着席領域との間の距離を意味し、視聴している部屋のイメージ９０に図示されているＴＶ９２とソファー９４とに対応している。
【００２３】
動作中、ユーザは、まずＴＶ位置７１を入力または選択するように促される。セレクタインジケータ矢印７３が、１つのＴＶ位置オプション７２から別のＴＶ位置オプションに移動するとき、ＴＶ９２は、好適には視聴している部屋のイメージ９０における壁９６に沿った選択された位置７２に図示される。ユーザは、視聴している部屋のパラメータの間をナビゲートすることができ、パラメータ値７５、７７および７９をエントリするように促されたり、あるいは、ＴＶ側の壁の長さ７４、その他の壁の長さ７６およびＴＶからソファーまでの距離７８の値を連続してエントリするように促されたりし得る。
【００２４】
ユーザによって部屋パラメータが入力され、コントロールシステム１２によって受信され、メモリ２２に格納されると、システムソフトウェアは、サラウンドサウンドビームのビーム角（例えば、前右ビーム、前左ビーム、中央ビーム、後右ビームおよび後左ビーム）を計算し、サウンドプロジェクタ４０のスピーカアレイ４２から放出させ、スピーカアレイ４２の個々のスピーカをしかるべく方向付けたり、または、構成したりする。
【００２５】
サウンドプロジェクション構成メニュー７０における「カスタム」とラベル付けされたソフトキー８０を選択することにより、ユーザは、図４Ａに図示されているように、サウンドビームがＴＶを視聴している部屋において辿り得る（または辿る）経路のグラフィック表示のトレース１４０を提供される。トレース１４０（例えば、サラウンドサウンドの前左サウンドビーム１４１、前右サウンドビーム１４２、中央サウンドビーム１４６、後左サウンドビーム１４３、後右サウンドビーム１４４に対応する）は、ＴＶを視聴している部屋を表すグラフィカルイメージ１３０におけるスクリーン３０上に表示され、このＴＶを視聴している部屋は、前壁またはＴＶ壁１３３、後壁１３６、側壁１３４および１３５、ＴＶ壁１３３に沿って配置されたＴＶ１３２、ＴＶ１３２と離間した関係でＴＶを視聴している部屋のイメージ１３０内に配置されたカウチ１３８を有する。
【００２６】
当業者であれば容易に理解し得るように、ＴＶを視聴している部屋の壁から反射する反射するオーディオサウンドビームは、「入射角は反射角に等しい」という物理学における一般的な反射の法則にしたがう。トレース１４０を描くシステムソフトウェア内の機能は、サウンドビームの各セグメントを多角形として描くループを含む。多角形の頂点は、「ポイントバウンス（ｐｏｉｎｔ  ｂｏｕｎｃｅ）」機能を介して計算され、この機能は、特定の寸法の部屋において特定の角度で特定の点から直線をのばしたときに、その直線が反跳（ｂｏｕｎｃｅ）する点（この点において、反射の法則を用いると、上記直線が部屋の壁上で反跳角にて反射する）を見つける。ビームの各辺は、別々に計算されるが、ビームの２つの辺の直線は、スクリーン上で描写されるときには、ビーム多角形の４つの端点を表す。
【００２７】
「ポイントバウンス」機能に対応する代表的なソフトウェアコードは、好適には以下を含む：
【００２８】
【化１】
2010011461.tif 000003
多角形を効率的に描写し、図４Ａに図示されているようにその多角形をスクリーン３０上に表示し、ユーザがリモートコントロールの右または左のカーソルキー８３を押すことに応答して、図４Ｂに図示されているように部屋のあちこちでそれらを動かすために、サウンドプロセッサ１８のレジスタは、リモートコントロールの電子キーと同期化される。サウンドプロセッサのレジスタとリモートコントロールのキーとの同期化を制御するプロセスは、リモートコントロールの電子キーを２の補数に変換することを含み、２の補数は、サウンドプロセッサにおける個別のチャンネルの各々に対してレジスタを設定および制御する際に、直接的に用いられる。ユーザがリモートコントロール上の左または右のカーソルキーを押したときにリモートコントロールの電子キーからのビットが２の補数に変換され、その２の補数がサウンドプロセッサ１８に送信されることにより個別のチャネルを同期化するように、キーはリアルタイムに翻訳される。
【００２９】
多角形を効率的にレンダリングする方法は、リモートコントロールの電子キーの繰り返しに基づく。ディスプレイスクリーン３０上に複数の多角形を効率的にレンダリングすることによってサウンドビームの反射をシミュレートするためには、反復のたびにピクセルイメージを透明にし、再び特定の色および位置に戻すことにより、多角形イメージが新しいピクセル位置に存在しているように見えるようにしたり、ひいては、ディスプレイスクリーン３０に沿って動いているように見えるようにしたりする方法が要求される。イメージを透明に変換することは、次の反復のためのクリーンなベースを提供する。多角形を効率的にレンダリングする方法は、事実上、リモートコントロールの電子キーのレートによって制御される内部反復子（ｉｎｔｅｒｎａｌ  ｉｔｅｒａｔｏｒ）である。上記レートが速くなるほど、イメージが透明に変換され、次の反復およびレンダリングのためのクリーンなベースを提供することが、速くなる。
【００３０】
図４Ａおよび図４Ｂに戻ると、ユーザは、サウンドプロジェクション構成メニュー７０における「カスタム」ソフトキー８０を選択することにより（図２）、グラフィカル多角形トレース１４０によって表されるサウンドビームの近似角度を見たり、調整したりすることができる。図示されているように、サウンドプロジェクタセットアップメニュー１００は、グラフィカル多角形トレース１４０を含むＴＶを視聴している部屋のイメージ１３０と共に、スクリーン３０上に表示される。サウンドプロジェクタセットアップメニュー１００は、選択可能なメニューオプションを含み、それらのメニューオプションは、現在の値設定（左ビーム角１２、右ビーム角１０４、中央ビーム角１０５、左サラウンドビーム角１０６、右サラウンドビーム角１０８に対応するものとして示されている）を有する。各ビーム角の値は、メニューキーまたはガイド１２０によって示されているリモートコントロール上の右または左のカーソルキー８３を押すことによって調整され得る。カーソルキー８３が押されると、選択されたメニューオプションの示されている角度の値、ならびに、対応する多角形トレースの角度、ひいては、位置が変化し得（その結果は、図４Ｂに図示されている）、ユーザが部屋の方々でサウンドビームを近似位置へと視覚的に動かすことを可能にする。
【００３１】
加えて、サウンドプロジェクタセットアップメニュー１００は、選択可能なメニューオプションを含み、それらのメニューオプションは、現在の値設定（左ビーム１１０、右ビーム１１２、中央ビーム１１４、左サラウンドビーム１１６、右サラウンドビーム１１８のサラウンドレベルに対応するものとして示されている）を有する。各ビームのレベルもまた、スライダ１２２を用いることによって調整され得る。
【００３２】
図４Ａ、図４Ｂ、図５、図６および図７に図示されているように、一体化されたサウンドプロジェクタ４０を有するＴＶ１０は、サラウンド、ステレオ、単一または多重のターゲットビームを含む、様々なオーディオモードで動作し得る。図２Ｂに図示されているように、「カスタム」ソフトキーが選択されたとき、オーディオモード構成ドロップダウンメニュー６９または同様のメニューが表示され、構成のための動作のオーディオモード（例えば、ステレオ、サラウンド、モノターゲット、デュアルターゲット等）を選択するように、ユーザを促す。一旦オーディオモードが選択されると、自動／手動のドロップダウンメニュー６９Ａまたは同様のメニューが表示され、選択された動作のオーディオモードの自動または手動の構成を選択するように、ユーザを促す。「自動」オプションが選択された場合、サウンドビームのレベルは、以下で議論されるように、現在の視聴している部屋およびビームのパラメータ設定に基づいて、自動的にキャリブレーションされ得る。「手動」オプションが選択された場合、サウンドプロジェクションカスタム設定メニューとＴＶを視聴している部屋のイメージとが、スクリーン３０上に表示され得、図４Ａおよび図４Ｂに図示され、それらの図に関連して上記で議論されたように、ビーム角および／またはビームレベルを調整するように、ユーザを促し得る。
【００３３】
図２Ｃに図示されているように、ユーザは、ＡＶデバイス構成メニュー６０におけるオーディオアイコン６４を選択することにより、動作のオーディオモードを選択し得る。オーディオアイコン６４が選択されるとき、オーディオモード選択ドロップダウンメニュー６１または同様のメニューが表示され、所望の動作のオーディオモード（例えば、ステレオ、サラウンド、モノターゲット、デュアルターゲット等）を選択するように、ユーザを促し得る。オーディオモード設定の調整は、サウンドプロジェクション構成メニュー７０に戻り、カスタムソフトキー８０を選択することにより行われ得る。
【００３４】
図２Ｂに図示されているように、カスタムソフトキー８０が選択され、ステレオモードの手動構成がオーディオモード構成メニュー６９および６９Ａから選択された場合、図５に図示されているように、ステレオモードに対するサウンドプロジェクタカスタムセットアップメニュー１０１とＴＶを視聴している部屋のイメージ１３１は、ＴＶ１３２のサウンドプロジェクタから放出された左ステレオビーム１４７と右ステレオビーム１４８とがスクリーン３０上に表示されていることをグラフィカルに示す。図示されているように、サウンドプロジェクタカスタムセットアップメニュー１０１は、好適には、ステレオサウンドビーム１４７および１４８のサウンドレベル１１１に対応するメニューオプションのみを含み、そのメニューオプションは、スライド１２２を用いて調整され得る。あるいは、サウンドプロジェクタカスタムセットアップメニュー１０１は、ステレオサウンドビーム１４７および１４８の角度を調整することによりビームを部屋の方々に動かすための、ビーム角調整メニューオプションを含み得る。
【００３５】
カスタムソフトキー８０が選択され、単一またはモノターゲットビームモードの手動構成がオーディオモード構成メニュー６９および６９Ａから選択された場合、図６に図示されているように、サウンドプロジェクタカスタムセットアップメニュー１０３とＴＶを視聴している部屋のイメージ１３７は、ＴＶ１３２のサウンドプロジェクタから放出された単一またはモノターゲットビーム１４５がスクリーン３０上に表示されていることをグラフィカルに示す。図示されているように、サウンドプロジェクタカスタムセットアップメニュー１０３は、好適には、モノビームのビーム角１０７に対応するメニューオプションを含む。示されているように、ビーム角の値は、モノサウンドビームを部屋の方々に動かし、部屋内のターゲットの位置を近似するように、調整され得る。加えて、サウンドプロジェクタカスタムセットアップメニュー１０３は、好適には、モノビームのサウンドレベル１１３に対応するメニューオプションを含み得、このメニューオプションは、スライド１２２を用いて調整され得る。
【００３６】
カスタムソフトキー８０が選択され、デュアルターゲットビームモードの手動構成がオーディオモード構成メニューから選択された場合、図７に図示されているように、サウンドプロジェクタカスタムセットアップメニュー１０９とＴＶを視聴している部屋のイメージ１３９は、ＴＶ１３２のサウンドプロジェクタから放出される２つまたはデュアルサウンドビーム１４５および１４９がスクリーン３０上に表示されることをグラフィカルに示す。図示されているように、サウンドプロジェクタカスタムセットアップメニュー１０９は、好適には、２つのビーム１４５および１４９のビーム角１０７および１１５に対応するメニューオプションを含む。示されているように、ビーム角の値は、２つのサウンドビームを部屋の方々に動かし、部屋内のターゲットの位置を近似するように、調整され得る。メニュー内の用語ＰＩＰの使用によって示唆されるように、デュアルビームモードは、２人の視聴者が、ピクチャインピクチャまたはスプリットスクリーンビデオを見ることを可能にするために用いられ得る。１つのビームまたは主要サウンドビーム１４５は、メインピクチャまたはスプリットスクリーン内のピクチャのうちの１つに割り当てられ、その他のビームまたはＰＩＰサウンドビーム１４９は、ＰＩＰまたはスプリットスクリーン内のその他のピクチャに割り当てられる。
【００３７】
加えて、サウンドプロジェクタセットアップメニュー１０９は、好適には、２つのビームのサウンドレベル１１７、１１９に対応するメニューオプションを含み、このメニューオプションは、スライド１２２を用いて調整され得る。
【００３８】
別の実施形態においては、好適なオーディオ設定が割り当てられ得、様々な視聴経験または視聴アクティビティのために、メモリ内にセーブされ得る。例えば、アクティビティとは、「ＴＶを見る（Ｗａｔｃｈ  ＴＶ）」、「映画を見る（Ｗａｔｃｈ  Ｍｏｖｉｅ）」、「ニュースを見る（Ｗａｔｃｈ  Ｎｅｗｓ）」、「スポーツを見る（Ｗａｔｃｈ  Ｓｐｏｒｔｓ）」、「ゲームをプレイする（Ｐｌａｙ  Ｇａｍｅｓ）」等である。図２Ｄに図示されているように、ユーザは、ＡＶデバイス構成メニュー６０におけるアクティビティアイコン６１を選択することにより、動作のオーディオモード（例えば、ステレオ、サラウンド、モノターゲット、デュアルターゲット等）を特定のアクティビティに割り当てることができる。アクティビティアイコン６１が選択されると、アクティビティ選択ドロップダウンメニュー６１Ａまたは同様のメニューが表示され、所望のアクティビティを選択するように、ユーザを促す。例えば「映画を見る」が選択された場合、アクティビティ構成ドロップダウンメニュー６１Ｂまたは同様のメニューが表示され、ビューイングオプションまたはリスニングオプション等を選択することにより選択されたアクティビティを構成するように、ユーザを促す。オーディオオプションが選択された場合、オーディオモード選択ドロップダウンメニュー６１Ｃまたは同様のメニューが表示され、所望の動作のオーディオモードを選択するようにユーザを促す。選択された所望の動作のオーディオモードは、メモリ内にセーブされ、選択されたアクティビティに割り当てられる。例えば「サラウンド」モードが選択された場合、ＴＶのコントロールシステムは、選択されたアクティビティのために、オーディオがサラウンドサウンドで出力されるようにし得る。
【００３９】
そのような視聴アクティビティは、図３Ａおよび図３Ｂに図示されているように、ＴＶディスプレイスクリーン３０上またはリモートコントロールのディスプレイスクリーン上のアクティビティメニュー４６に提示され、ＴＶ上またはリモートコントロール上の専用のアクティビティキーまたはタスクキーを選択することによりアクティビティを選択するように、ユーザを促す。特定のアクティビティが選択されると、ＴＶのコントロールシステムは、特定のアクティビティに割り当てられたモードでオーディオが出力されるようにする。好適には特定のアクティビティを選択することにより、ＴＶと特定のアクティビティに関連する接続されたデバイス（例えば、映画を見るためのＤＶＤ）とが、自動的にオンにされたり、選択されたアクティビティのための好適な接続または設定が、実施されたりし得る。例えば「映画を見る」が選択された場合、以下のアクティビティが実施され得る。
１．Ｂｌｕｅｒａｙプレイヤーが電源オンにされる。
２．ＴＶがオンにされ、Ｂｌｕｅｒａｙプレイヤーが入力供給源として選択される。
３．オーディオモード等の映画ビデオ設定が適用され、割り当てられたモードでサウンドが出力される。
【００４０】
動作のオーディオモードをセーブし、特定のアクティビティにその動作のオーディオモードを割り当てることは、多重モードのデバイス（例えば、メディアセンターＰＣ、Ｐｌａｙｓｔａｔｉｏｎ３、ＸＢＯＸ３６０等）が存在し、ゲームをプレイする、映画を見る、写真を見る等のために用いられ得、ユーザがデバイスアクティビティモード（例えば、「ゲームをプレイする」、「映画を見る」等）ごとに異なるアクティビティプリファランスを設定することを所望する場合に、特に有用である。メディアセンターＰＣが３Ｄゲームをプレイする（アクティビティメニューにおける「ゲームをプレイする」）ように選択されたとき、好適にはＴＶは、もし利用可能であれば、自身の３Ｄモード設定に入る。メディアセンターＰＣがＢｌｕｅＲａｙ映画を再生すること（「映画を見る」アクティビティメニュー）を選択されたとき、ＴＶは自身の映画を見る設定に入り、このとき、３Ｄ設定をディセーブルする。したがって、ゲーム能力と映画能力とを提供する組み合わせ型デバイス（例えば、Ｐｌａｙｓｔａｔｉｏｎ３、ＸＢＯＸ３６０等）のユーザは、「ゲームをプレイする」と「映画を見る」との各アクティビティのために、別個の最適化されたモーディオモード設定を有し得る。
【００４１】
図８に移ると、ビームサウンドレベルを自動的にキャリブレーションするために、マイクロフォン１７０は、有線を介してＴＶ１０のコントロールシステム１２に連結可能である。マイクロフォンは、サウンドプロジェクタ４０から放出される平均サウンドレベルのサウンドバースト信号（例えば、図示されているように、右バースト信号１７２、左バースト信号１７３、中央バースト信号１７１、左後バースト信号１７５、右後バースト信号１７６、そしてオプションとしてサブウーファサウンドバースト）を感知またはキャプチャするために用いられ得る。各サウンドビームに対するサウンドバーストの送信のシーケンスは、ＴＶ１０のコントロールシステム１２がテスト信号と同期化された信号レベルを測定することができるように、予め決定される。マイクロフォン１７０は、各サウンドチャネルに対する平均レベルをキャプチャする。コントロールシステム１２は、そのレベルを用いることにより、各サウンドチャネルと構成された条件とを自動的に比較し得る。
【００４２】
図９に移ると、サラウンドサウンドのセットアップおよび構成に関連した複雑さの一部を排除した代替的な実施形態において、ＴＶリモートコントロールユニット１５０には、サウンドビームのオーディオレベルを測定し、それをＴＶ１０のコントロールシステム１２に戻すために、組み込み型マイクロフォン１５２とマイクロプロセッサ１６０とが装備される。リモートコントロール１５０は、ＴＶ１０のサウンドプロジェクタ４０から出力されるテスト信号の正確なシーケンスとタイミングとがわかるときに、ビームのオーディオレベルを測定することができる。リモートコントロール１５０は、特定のＩＲコードを介することにより、測定結果をＴＶ１０に返し得る。
【００４３】
図１０に図示されているように、個別の外部サラウンドスピーカからのオーディオレベルを測定するために、組み込み型マイクロフォンユニットを有するリモートコントロール１５０が用いられ得る。個別の外部サラウンドスピーカは、例えば、中央スピーカ４１（これは図示されているように、例えばＴＶスピーカであり得る）、前左スピーカ４３、後右スピーカ４４、後左スピーカ４５、後右スピーカ４６である。
【００４４】
図９および図１０に図示されているように、リモートコントロール１５０は、好適には、組み込み型マイクロフォン１５２に連結されたアンプ１５４と、アンプ１５４とマイクロプロセッサ１６０とに連結されたアナログデジタル変換器１５６と、マイクロプロセッサに連結された不揮発性メモリ１５８と、マイクロプロセッサ１６２に連結されたＩＲ送信器１６２とを含む。リモートコントロール１５０を制御したり動作させたりし、かつ、マイクロプロセッサ１６０上で実行可能な一連の命令を含むソフトウェアは、好適にはメモリ１５８内に格納される。加えて、リモートコントロール１５０は、例えばマイクロプロセッサに連結されたサウンドキャリブレーションボタン１６４のような専用機能キーを含み得る。専用機能キーは、押されたときに、リモートコントロール１５０に、ＩＲコードに組み込まれた一連の命令を含むコマンドをＴＶ１０へと送信させることにより、コントロールシステム１２をサウンドキャリブレーションモードに入れさせる。
【００４５】
ＴＶ１０は、各サウンドビームまたはスピーカに対して、そしてオプションとしてサブウーファに対して、テスト信号のバーストを連続的に送信し得る。例示的なテストバースト信号が、右バースト信号１６８として図示されている。テスト信号のシーケンスは、好適には、テスト信号と同期化された信号レベルをリモートコントロール１５０が測定することができるように、ＴＶ１０とリモートコントロール１５０との両方によって、予め決定され、知られている。リモートコントロール１５０は、各サウンドチャネルに対する平均レベルをキャプチャし、測定されたレベルでＩＲメッセージを返信する。例示的なＩＲコードが、右信号レベルＩＲコード１６６として図示されている。ＴＶ１０は、測定されたレベルを用いることにより、各サウンドチャネルとキャリブレーションされた条件とを自動的に比較し得る。
【００４６】
当業者は、このプロセスが、オーディオレベルとサラウンドシステム（ＴＶがＡＶＲ機能を担い、一体化されたサラウンドサウンドデコーダと、サウンドプロジェクタ、電力アンプ、個別の外部スピーカに対する無線送信器のいずれかを含む）における遅延との自動設定のために用いられ得ることを、容易に認識するだろう。
【００４７】
上述の明細書において、本発明は、特定の実施形態に関連して記載されてきた。しかしながら、本発明の広い精神および範囲から逸脱することなしに、それらの実施形態に対して様々な改変および変更がなされ得ることは、明白である。例えば読者は、本明細書中に記載されているプロセス流れ図に示されているプロセス動作の特定の順序および組み合わせは、特に断りがない限り単なる例示に過ぎず、本発明が異なるプロセス動作または追加的なプロセス動作、あるいは、プロセス動作の異なる組み合わせまたは順序を用いて実行され得ることを、理解すべきである。別の例として、一実施形態の各特徴は、その他の実施形態に示されるその他の特徴と混合されたり、マッチされたりし得る。当業者に公知な特徴およびプロセスが、必要に応じて、同様に組み込まれ得る。加えて、明らかなことであるが、特徴は必要に応じて追加されたり、削除されたりし得る。したがって、本発明は特許請求の範囲とその均等物の範囲以外によっては、制限されるべきではない。
【符号の説明】
【００４８】
１０  ＴＶ
１２  コントロールシステム
１４  ＯＳＤ（オンスクリーンディスプレイ）コントローラ
１６  イメージディスプレイエンジン
１８  オーディオプロセッサ
２０  マイクロプロセッサ
２２  メモリ
２４  ＩＲ信号受信器
３０  ディスプレイスクリーン
４０  サウンドプロジェクタ
４２  スピーカのアレイ
４７  サブウーファ
【図１Ａ】
2010011461.tif 000004
【図１Ｂ】
2010011461.tif 000005
【図３Ａ】
2010011461.tif 000006
【図３Ｂ】
2010011461.tif 000007
【図８】
2010011461.tif 000008
【図９】
2010011461.tif 000009
【図１０】
2010011461.tif 000010
【図２Ａ】
2010011461.tif 000011
【図２Ｂ】
2010011461.tif 000012
【図２Ｃ】
2010011461.tif 000013
【図２Ｄ】
2010011461.tif 000014
【図４Ａ】
2010011461.tif 000015
【図４Ｂ】
2010011461.tif 000016
【図５】
2010011461.tif 000017
【図６】
2010011461.tif 000018
【図７】
2010011461.tif 000019